(57)【要約】【課題】通信システムの一部分の障害あるいは故障で、通信システム全体が機能を停止することなり、通信システムの一部分の障害あるいは故障に対しても移動局の通信が可能な通信システムの実現が望まれている。【解決手段】回線制御装置と、上記回線制御装置と伝送路を介して結合される少なくとも１つの基地局と、上記基地局と無線通信回線で結合される複数の移動局を備え、上記回線制御装置は、制御部および記憶部を有し、上記基地局は、制御部および記憶部を備え、上記回線制御装置の制御部は、上記基地局に障害確認信号を送信する機能を有し、上記基地局の制御部は、上記障害確認信号の有無を検出する機能を有するように構成される。【選択図】図１
2007124283.tif 000002
【特許請求の範囲】
【請求項１】
回線制御装置と、上記回線制御装置と伝送路を介して結合される少なくとも１つの基地局と、上記基地局と無線通信回線で結合される複数の移動局を備え、上記回線制御装置は、制御部および記憶部を有し、上記基地局は、制御部および記憶部を備え、上記回線制御装置の制御部は、上記基地局に障害確認信号を送信する機能を有し、上記基地局の制御部は、上記障害確認信号の有無を検出する機能を有することを特徴とする通信システム。
【請求項２】
請求項１記載の通信システムにおいて、上記基地局は、更に、上記回線制御装置と結合される伝送路との接続を切替える切替部を有し、上記基地局の制御部が上記障害確認信号を非検出の場合、上記基地局の制御部は、上記切替部を制御して上記基地局と上記伝送路を切離すことを特徴とする通信システム。
【請求項３】
請求項２記載の通信システムにおいて、上記基地局は、更に、送信用無線機と受信用無線機を有し、上記基地局の制御部が上記切替部を制御して上記基地局と上記伝送路を切離した場合、上記基地局の上記制御部は、上記送信用無線機と上記受信用無線機の制御および上記基地局の通信エリア内に位置する複数の移動局間の回線接続制御を行うことを特徴とする通信システム。
【発明の詳細な説明】
【技術分野】
【０００１】
本発明は、通信システムに関し、特に、障害時の通信を確保できるデジタル通信システムに関するものである。
【背景技術】
【０００２】
現在、実用化されているデジタル無線システムの一つとして、標準規格ARIB STD-T79（Association of Radio Industries and Businesses-T79）（例えば、非特許文献１参照）で定められている市町村デジタル移動通信システムがある。図６は、市町村デジタル移動通信システムの概略構成を示す図である。図６において、６０１は、回線制御装置（統制局内に設置される場合もある。）、６０２は、指令卓、６０３−１、・・・６０３−Ｍは、基地局である。なお、基地局を代表する場合は、基地局６０３と称する。６０４−１、６０４−２、・・・６０４−Ｎは、携帯端末無線機、車載無線機等の移動局を示す。なお、移動局を代表する場合は、移動局６０４と称する。６０５は、回線制御装置６０１と基地局６０３を接続する伝送路であり、有線あるいはマイクロ回線が使用可能である。６０８は、通信エリア（あるいは通信ゾーンとも言う。）を示している。
【０００３】
図６に示す通信システムは、通信エリア６０８内にある複数の移動局６０４−１、６０４−２、６０４−３、・・６０４−Ｎと指令卓間あるいは基地局を経由した移動局間通信接続サービス、あるいは、基地局６０３−１内の移動局と他の基地局、例えば、基地局６０３−Ｍの通信エリア内の移動局（図示せず。）との通信接続サービスが行なわれるように構成されたシステムである。なお、基地局６０３の近傍に回線制御装置６０１が設置される場合もあれば、場所的に離れた場所に設置される場合もある。
【０００４】
回線制御装置６０１は、デジタル通信システムにおける基地局６０３および複数の移動局６０４間の通信接続およびサービスエリアの維持、管理を行い、また、移動局からの発呼(call)制御あるいは通信ルートの設定を行う制御等を行う。
【０００５】
而して、標準規格ARIB STD-T79で定められているデジタル無線技術を用いた市町村デジタル移動通信システムで使用が許可されている無線キャリア（carrier）周波数割当てを図７に示す。図７において、上り方向、即ち、移動局→基地局の方向では、約２６２ＭＨｚ〜２６５ＭＨｚの無線キャリアｆで、２５ＫＨｚ巾で、１１２波（ｆ１、ｆ２、・・・）が認められている。また、下り方向、即ち、基地局→移動局の方向では、上り方向の２６２ＭＨｚから９ＭＨｚ離れた約２７１ＭＨｚ〜２７４ＭＨｚの無線キャリアＦで、２５ＫＨｚ巾で、１１２波（Ｆ１、Ｆ２、・・・）が認められている。従って、デジタル無線通信システムの通信においては、上り方向ｆ１、ｆ２、・・・、下り方向Ｆ１、Ｆ２、・・・の各周波数が使用される。そして、各システムは、その規模に応じて１又は複数の無線キャリアを制御用キャリアとし、残りを通信用キャリアとして使用することができる。
【０００６】
更に、各無線キャリアは、図８に示すようなフレームで構成され、さらにフレームを４つのスロットに分けられた後、そのスロットに制御チャネルＣと通信チャネルＳが割り当てられる。ここで、１フレームは、例えば、４０ｍｓである。制御チャネルＣは、無線回線の接続制御を行うチャネルであり、通信チャネルＳは、通話やデータ通信を行うチャネルである。また、１つ以上の制御チャネルを含むキャリアを制御キャリアといい、通信チャネルのみによって構成されるキャリアを通信キャリアという。
【０００７】
図９は、図６に示す通信システムにおいて、指令卓６０２と移動局６０４−１との間の通信接続例を示したものである。なお、各部の符号は、図６の符号に対応する。図９において、指令卓６０２と移動局６０４−１との通信は、回線制御装置６０１が管理し、指令卓６０２および移動局６０４−１との間の接続要求に対する応答、通話路の接続、終了管理などの制御を行っている。ここで、通話路とは、回線制御装置６０１と基地局６０３−１との間の有線回線あるいはマイクロ回線等の伝送路６０５および基地局６０３−１と移動局６０４−１との無線回線を意味し、これら通話路は、音声回線、データ回線、保守回線などの複数回線を有するのが普通である。基地局６０３−１と移動局６０４−１との間の無線回線は、例えば、上りの無線キャリアｆ１、下りの無線キャリアＦ１のペアー波を用いた基地局―移動局間複信通信で、例えば、音声通信用に上りの無線キャリアｆ１の通信チャネルＳ１（図８に示す。）および下りの無線キャリアＦ１の通信チャネルＳ１の１チャネルを使用して複信通信を行っている。
【０００８】
図１０は、図６に示す通信システムにおいて、例えば、移動局６０４−１が基地局６０３−１を介して移動局６０４−２と通信を行う場合の移動局―移動局間単信通信の場合を示している。この移動局―移動局間単信通信は、移動局６０４−１から基地局６０３−１への上りは、無線キャリアｆ１を使用し、基地局６０３−１から移動局６０４−２への下りは、無線キャリアＦ１を使用している。また、移動局６０４−２から基地局６０３−１への上りは、無線キャリアｆ１を使用し、基地局６０３−１から移動局６０４−１への下りは、無線キャリアＦ１を使用している。そして、移動局６０４−１、６０４−２は、プレストーク方式による単信通信を行っている。
【０００９】
上述した通信システムでは、指令卓と移動局との間の通信あるいは移動局間の通信の場合、回線制御装置が呼接続を管理しているため、回線制御装置の障害あるいは回線制御装置と基地局間を接続する伝送路が切断した場合、移動局からの通信が出来なくなり、通信システムの一部分の障害あるいは故障で、通信システム全体が機能を停止することなり、防災システムや緊急の通報システムの場合には、信頼性に欠けるシステムとなる。従って、通信システムの一部分の障害あるいは故障に対しても移動局の通信が可能な通信システムの実現が望まれている。
【００１０】
【特許文献１】特開平１０−３２５２５号公報
【特許文献２】特開２００４−２０１１７７号公報
【非特許文献１】標準規格ARIB STD-T79：市町村デジタル移動通信システム  ＴＹＰＥ１、社団法人  電波産業会
【発明の開示】
【発明が解決しようとする課題】
【００１１】
以上、詳述したように従来の通信システムでは、回線制御装置が呼接続を管理しているため、回線制御装置の障害あるいは伝送路が切断した場合、移動局からの通信が出来なくなり、通信システムの一部分の障害あるいは故障で、通信システム全体が機能を停止することなり、通信システムの一部分の障害あるいは故障に対しても移動局の通信が可能な通信システムの実現が望まれている。
【００１２】
本発明の目的は、信頼性の高い通信システムを提供することである。
【００１３】
本発明の他の目的は、通信システムの一部分の障害や故障に対して基地局内での移動局間の通信が可能な通信システムを提供することである。
【００１４】
本発明の更に他の目的は、障害や故障の個所を容易に特定できる通信システムを提供することである。
【課題を解決するための手段】
【００１５】
本発明の通信システムは、回線制御装置と、上記回線制御装置と伝送路を介して結合される少なくとも１つの基地局と、上記基地局と無線通信回線で結合される複数の移動局を備え、上記回線制御装置は、制御部および記憶部を有し、上記基地局は、制御部および記憶部を備え、上記回線制御装置の制御部は、上記基地局に障害確認信号を送信する機能を有し、上記基地局の制御部は、上記障害確認信号の有無を検出する機能を有するように構成される。
【００１６】
また、本発明の通信システムにおいて、上記基地局は、更に、上記回線制御装置と結合される伝送路との接続を切替える切替部を有し、上記基地局の制御部が上記障害確認信号を非検出の場合、上記基地局の制御部は、上記切替部を制御して上記基地局と上記伝送路を切離すように構成される。
【００１７】
また、本発明の通信システムにおいて、上記基地局は、更に、送信用無線機と受信用無線機を有し、上記基地局の制御部が上記切替部を制御して上記基地局と上記伝送路を切離した場合、上記基地局の上記制御部は、上記送信用無線機と上記受信用無線機の制御および上記基地局の通信エリア内に位置する複数の移動局間の回線接続制御を行うように構成される。
【００１８】
また、本発明の通信システムにおいて、上記回線制御装置の記憶部および上記基地局の記憶部は、それぞれ障害確認信号の送出間隔を定めたテーブルを記憶している。
【００１９】
また、本発明の通信システムにおいて、上記基地局の制御部は、上記障害確認信号の有無を上記基地局の上記記憶部に記憶されているテーブルを参照して障害発生の有無を判断するように構成される。
【発明の効果】
【００２０】
以上説明したように本発明によれば、回線制御装置等の一部分の障害に対して通信システム全体が機能を停止することなく、基地局内の移動局間の通信を確保することが出来る。また、基地局と回線制御装置間の伝送路が切断された場合でも移動局間の通信を確保することが出来る。更に、故障個所を容易に特定することができるので、故障個所を素早く回復させることができるので、信頼性の高い通信システムが実現できる。
【発明を実施するための最良の形態】
【００２１】
以下、本発明の一実施例について図１〜図５を用いて説明する。図１は、本発明の一実施例の概略構成を示すブロック図であり、図２は、移動局６０４（移動局６０４−１、６０４−２、・・・６０４−Ｎを代表して示している。）の概略構成のブロック図を示す。なお、図１および図２で構成される通信システムの構成は、ほぼ図６と同じ構成であるので、詳細な説明は省略する。
【００２２】
図１は、本発明の一実施例の指令卓６０２、回線制御装置６０１および基地局６０３の概略構成を示すブロック図である。指令卓６０２は、処理装置１０１、記憶部１０２、表示部１０３および操作部１０４で構成されている。回線制御装置６０１は、ＣＰＵ等で構成された制御部１０５および記憶部１０６で構成され、複数の移動局６０４間の通信接続およびサービスエリアの維持、管理、また、移動局からの発呼(call)制御あるいは通信ルートの設定等の制御を行う。基地局６０３、例えば、基地局６０３−１は、送信用無線機１１０、受信用無線機１１１、ＣＰＵ等で構成された制御部１１２、切替部１１３および記憶部１１４で構成されており、送信用無線機１１０は、指令卓６０２からの情報を無線キャリアＦ１で移動局６０４に送信する。また、受信用無線機１１１は、移動局６０４から無線キャリアｆ１で送られてくる情報を受信する。なお、他の基地局６０３−２、・・・６０３−Ｍもほぼ同様な構成であるので、基地局６０３−１を用いて説明する。また、図１に示す指令卓６０２、回線制御装置６０１および基地局６０３−１の動作については後述する。
【００２３】
図２は、移動局６０４の概略構成を示すブロック図である。移動局６０４は、移動局６０４−１、６０４−２、・・・６０４−Ｎを代表する移動局であり、車載無線機あるいは携帯無線機等があるが、構成はほぼ同じである。なお、図２で示す移動局は、例えば、上り方向無線キャリアｆ１および下り方向無線キャリアＦ１のペア波が用いられ、例えば、プレストーク方式の無線通信装置を示しているが、同時送受波ができる無線通信装置で構成することもできる。図２において、２０１は、基地局６０３との送受信を行うためのアンテナ、２０２は、送受信を切替えるための切換スイッチ、２０３は、受信部、２０４は、受信信号処理部、２０５は、スピーカ、２０６は、制御部、２０７は、記憶部、２０８は、表示部、２０９は、操作部、２１０は、マイク、２１１は、送信信号処理部、２１２は、送信部である。
【００２４】
この無線通信装置の動作は、先ず、操作部２０９を操作し、例えば、テンキーで相手の移動局番号を入力し、通話ボタンを押す。相手が出ると送信状態となるので、マイク２１０から入力される音声信号は、送信信号処理部２１１で送信のための所定の信号処理を施した後、送信部２１２に入力される。送信部２１２に入力された信号は、送信のための所定の変調がなされ、所定の送信周波数ｆ１に変換され、切替スイッチ２０２を介してアンテナ２０１から出力され、基地局６０３の受信用無線機１１１へ送信される。
【００２５】
一方、基地局６０３の送信用無線機１１０からの無線キャリアＦ１は、アンテナ２０１で受信され、切替スイッチ２０２を介して受信部２０３に入力される。受信部２０３に入力された信号は、高周波増幅され、所定の中間周波数に変換され、更に、復調され、受信信号処理部２０４に供給される。受信信号処理部２０４では、所定の信号処理がなされた後、スピーカ２０５から音声信号を出力する。また、データの場合には、表示部２０８にデータが表示される。
【００２６】
次に、図１および図２で構成される通信システムにおいて、指令卓６０２と移動局６０４との間の接続動作について図３を用いて説明する。図３は、本発明の通信システムの動作シーケンスを示す図である。図３において、まず、基地局６０３−１は、定期的に空線信号を送信し、基地局６０３−１の通信エリア６０８内の移動局６０４は、この空線信号を受信し、同期している。この状態で、移動局６０４−１は、先に説明したように操作部２０９を操作して、例えば、指令卓６０２の番号（またはＩＤ）をダイアルする。即ち、ステップ３０１の呼出操作を行う。
【００２７】
移動局６０４−１が呼出操作を行うと、移動局６０４−１から同期バースト信号が基地局６０３−１に送信される（ステップ３０２）。この同期バースト信号の送信は、例えば、移動局６０４−１のアンテナ２０１から無線キャリアｆ１の制御チャネルＣ（図８に示す。）で基地局６０３−１に送信される。呼出のための同期バースト信号を受信した基地局６０３−１の受信用無線機１１１は、切替部１１３、伝送路１０８を介して回線制御装置６０１の制御部１０５に送信権確認信号を送信する（ステップ３０３）。回線制御装置６０１は、前述のように複数の移動局６０４間の通信接続およびサービスエリアの維持、管理、移動局からの発呼(call)制御あるいは通信ルートの設定等の制御を行っており、送信権確認信号を受信すると、その時点での通話チャネルの空き状況を検出する（ステップ３０４）。例えば、通話チャネルの空き状況は、基地局６０３−１の通信エリア内の通話チャネルの空状況を記憶部１０６に記憶しており、その空状況を常に把握している。なお、記憶部１０６の空きチャネルの状況は、時間と共に変化し、常に最新の空チャネル情報が記憶されている。そして、通話チャネルＳ（図８に示す。）に空チャネル、例えばチャネルＳ１が空いていると、回線制御装置６０１は、例えば、チャネルＳ１を指定する送信権受付信号を伝送路１０７、切替部１１３を介して基地局６０３−１の送信用無線機１１０に送信する（ステップ３０５）。基地局６０３−１は、このチャネルＳ１を指定する送信権受付信号を無線キャリアＦ１で移動局６０４−１に送信する（ステップ３０６、バースト受付）。このバースト受付をした移動局６０４−１の操作者は、操作部２０９を操作して制御部２０６を動作させ、通信チャネルＳ１を設定する（ステップ３０７）。
【００２８】
移動局６０４−１で通信チャネルＳ１が設定されると、発呼信号が基地局６０３−１へ送信され（ステップ３０８）、基地局６０３−１は、呼設定信号を回線制御装置６０１に送信する（ステップ３０９）。回線制御装置６０１は、基地局６０３−１から呼設定信号を受信すると、指令卓６０２に移動局６０４−１からの呼設定通知を送信し（ステップ３１０）、例えば、指令卓６０２の表示部１０３に回線情報の表示をする。そして、回線制御装置６０１は、呼設定受付信号を基地局６０３−１に送信し（ステップ３１１）、基地局６０３−１は、発呼受付信号を移動局６０４−１に送信する（ステップ３１２）。これによって移動局６０４−１と指令卓６０２との通話路が形成され、音声通話が行われる（ステップ３１３）。
【００２９】
上記の説明は、通信システムが正常に機能している場合について説明したが、この、通信システムの一部が故障したり、障害が発生した場合、一般には、通信システム全体が停止し、故障個所あるいは障害個所が復旧した後、正常に戻るのが普通である。このようなシステムでは、緊急の場合等に機能せず、信頼性に欠けるシステムとなってしまう。本発明は、これを改善するためになされたものであって、基本的な考え方を図４を用いて説明する。図４は、基本的な考え方を説明する図である。図４において、まず、ステップ４０１では、回線制御装置６０１から基地局６０３へ障害確認信号を通知する。ステップ４０２では、障害確認信号を受取った基地局６０３は、回線制御装置６０１へ確認応答信号を通知する。さて、このような動作において、ステップ４０３では、基地局６０３、例えば、基地局６０３−１が回線制御装置６０１の故障あるいは伝送路６０５の断線が原因で回線制御装置６０１からの障害確認信号を検出しなかったり、あるいは、伝送路の減衰等が原因で、障害確認信号の信号レベルが低く、障害確認信号として検出できない場合、障害発生と判断し、ステップ４０４の基地局６０３−１内の動作（これについては後述する。）を実行する。一方、障害が検出されない場合は、ステップ４０５に進み、通信システムは、正常に通常の動作を継続するものである。
【００３０】
以下、障害発生の場合について図１および図５を用いて詳細に説明する。まず、回線制御装置６０１は、全基地局６０３−１、６０３−２、・・・６０３−Ｍに対して障害確認信号を送信する（ステップ５０１）。この障害確認信号は、例えば、表１に示すように障害確認信号を表わすフラグＯＳにそれぞれの基地局番号（または基地局ＩＤ番号）６０３−１、６０３−２、・・・６０３−Ｍを添付して伝送路６０５を介して各基地局６０３の制御部１１２に送信する。
【００３１】
【表１】
2007124283.tif 000003
制御部１１２では、前もって記憶部１１４にフラグＯＳは、障害確認信号を表わすフラッグとして登録されており、回線制御装置６０１から送信されるＯＳ＋基地局番号６０３−１を検出する（ステップ５０２）。障害確認信号を受信した基地局６０３−１は、確認応答信号を回線制御部６０１の制御部１０５に送信する（ステップ５０３）。回線制御装置６０１の制御部１０５は、確認応答信号を検出すると、記憶部１０６に記憶する。この記憶部１０６には、表２に示すような確認応答信号の有無を記録するテーブルを具えている。
【００３２】
【表２】
2007124283.tif 000004
表２では、基地局６０３−１からの確認応答信号がなく、他の基地局６０３−２、・・・６０３−Ｍからの応答信号があったことを示している。従って、指令卓６０２では、表２に示すテーブルを、例えば、表示部１０３に表示させることによって容易にどの基地局が正常か、正常でないかを知ることができる。
【００３３】
次に、何らかの原因、例えば、回線制御装置６０１と基地局６０３−１との間の伝送路、例えば、伝送路１０７および１０８が断線した場合、あるいは、回線制御装置６０１が何らかのトラブルを起こした場合、あるいは、伝送路の減衰が大きく障害確認信号が検出できないような場合、例えば、基地局６０３−１が回線制御装置６０１からの障害確認信号を受信できない場合が発生する（ステップ５０４）。図５においてステップ５０４の×印は、それを表わしている。
【００３４】
このような場合、基地局６０３−１は、障害確認信号非検出となる（ステップ５０５）。基地局６０３−１で障害確認信号非検出を判断する方法としては、例えば、次のような方法が採用されている。即ち、回線制御装置６０１は、定期的に、例えば、１回／５秒毎に、上述した障害確認信号を送信するようにスケジュールされており、このスケジュールが基地局６０３−１の記憶部１１４に記憶され、障害確認信号の検出の有無から障害の発生を判断している。
【００３５】
これについて更に、具体的に説明する。回線制御装置６０１の記憶部１０６には、表３に示すような確認応答信号の送出間隔を定めるテーブルを記憶している。
【００３６】
【表３】
2007124283.tif 000005
表３において、送出間隔とは、回線制御装置６０１が各基地局６０３に障害確認信号を送出する間隔を示し、例えば、１回／５秒で送出することを示している。また、確認応答信号とは、確認応答信号で有ることを示すフラグであり、例えば、ＯＳ１、ＯＳ２、・・・のような信号である。なお、表３で示すテーブルは、これに限られるものではなく、障害確認信号ＯＳの繰返し信号であってもよい。システム構成や使用目的で種々の変更が可能である。
【００３７】
一方、基地局６０３−１の制御部１１２の記憶部１１４にも表３に示すテーブルが記憶され、制御部１１２は、回線制御装置６０１から送信されてくる障害確認信号ＯＳ１、ＯＳ２、・・・を常に検出し、その検出結果を表４に示すテーブルとして記憶部１１４に記憶している。
【００３８】
【表４】
2007124283.tif 000006
表４において、受信間隔とは、回線制御装置６０１から送信されてくる障害確認信号を基地局６０３−１で受信する間隔を示し、障害確認信号検出の有無は、障害確認信号ＯＳ１、ＯＳ２、・・・を検出したか、検出しなかったかを記録している。表４では、障害確認信号ＯＳ１、ＯＳ２、ＯＳ３は、検出されたが、ＯＳ４は、検出されなかったことを示している。従って、制御部１１２は、この障害確認信号検出の有無から障害の有無判断を行う。表４では、例えば、通信システムが動作をスタートしてから１５秒後にＯＳ４が検出されず、障害が発生したことが分かる。他の方法として制御部１１２のタイマー装置（例えば、ＣＰＵのタイマー装置がある。図示せず。）と連動して、例えば、１回／５秒毎に障害確認信号ＯＳが検出されているかどうかを判定し、この障害確認信号ＯＳが所定回数検出されない場合には障害と判断するようにすることもできる。
【００３９】
上記のようにして、この障害確認信号ＯＳが検出されない場合には、基地局６０３−１の制御部１１２は、回線障害と判定する（ステップ５０６）。この回線障害は、例えば、前述した伝送路１０７および１０８が断線した場合、あるいは、回線制御装置６０１が何らかのトラブルを起こした場合、あるいは、伝送路の減衰が大きく障害確認信号が検出できないような場合等である。
【００４０】
基地局６０３−１の制御部１１２が回線障害と判定した場合、基地局６０３−１の制御部１１２は、切替部１１３を制御して基地局６０３−１と回線制御装置６０１との間を接続している伝送路１０７および１０８を切離す（ステップ５０７）。即ち、基地局６０３−１を回線制御装置６０１からフリーにする。そして、基地局６０３−１は、基地局６０３−１の通信エリア６０８内の移動局６０４間の通信接続サービスを開始する（ステップ５０８）。このステップ５０８は、回線制御装置６０１の接続サービスを受けない基地局６０３−１の通信エリア６０８内の通信接続サービスとなるため、移動局―移動局折り返し通話路接続サービスを行うものである。なお、上記説明では、基地局６０３−１と回線制御装置６０１との間の障害について説明したが、他の基地局６０３と回線制御装置６０１との間の障害についても同様である。
【００４１】
次に、移動局―移動局折り返し通話路接続サービスについて、以下、簡単に説明する。まず、基地局６０３−１は、定期的に空線信号を送信しており、基地局６０３−１の通信エリア６０８内の移動局６０４は、これと同期している。この状態で、移動局６０４−１が発呼動作を行う（ステップ５０９）。この発呼動作は、例えば、移動局６０４−１の操作者が操作部２０９を操作して、送信相手、例えば、移動局６０４−２の電話番号をダイアルする。この発呼信号を受けた基地局６０３−１は、自局の空いている通信チャネルを検出する（ステップ５１０）。なお、空の通信チャネルについては、制御部１１２が自局の通信エリア内の空チャネルを監視し、空チャネルを記憶部１１４に記憶し、また、常にその内容を更新しているので、容易に空状況を検出できる。検出の結果、空の通信チャネルが有る場合には、発呼信号、例えば、ダイアルトーン信号を移動局６０４−２に送信する（ステップ５１１）。
【００４２】
移動局６０４−２は、受話器を上げる（オフ・フックする。）と、同期バースト信号が基地局６０３−１に送信される（ステップ５１２）。基地局６０３−１は、移動局６０４−２からの同期バースト信号を受信すると、例えば、空いている通信チャネルＳ１を指定し（ステップ５１３）、移動局６０４−１と移動局６０４−２に通知する（ステップ５１４、５１５）。移動局６０４−１と移動局６０４−２では、操作部２０９を操作して通信チャネルＳ１に切り替え、通話路が形成される（ステップ５１６）。
【００４３】
以上のように構成されているので、回線制御装置が故障したり、伝送路が断線しているような場合でも基地局内の移動局同士では、通信することが可能となり、通信システムの一部分の障害あるいは故障で、通信システム全体が機能を停止することはなく、通信システムの一部分の障害あるいは故障に対しても移動局の通信が可能な通信システムが実現できる。なお、上述した実施例では、回線障害が復旧すると、正常な通信システムとして動作することは言うまでもない。また、指令卓６０２の操作部１０４を操作して回線制御装置６０１と基地局６０３−１とを再接続して正常な通信システムとして動作するように構成することもできる。
【００４４】
以上、本発明について詳細に説明したが、本発明は、ここに記載された通信システムの実施例に限定されるものではなく、上記以外の通信システムに広く適応することが出来ることは、言うまでも無い。
【図面の簡単な説明】
【００４５】
【図１】本発明の一実施例の概略構成を説明するためのブロック図である。
【図２】本発明で使用される移動局の概略構成を説明するためのブロック図である。
【図３】本発明の通信システムの動作を説明するための動作シーケンスを示す図である。
【図４】本発明の基本的な考え方を説明するための図である。
【図５】本発明の別の動作を説明するための動作シーケンスを示す図である。
【図６】従来の通信システムの概略構成を説明するためのブロック図である。
【図７】従来の通信システムで使用される無線キャリアの周波数を説明するための図である。
【図８】従来の通信システムで使用されるフレーム構成を説明するための図である。
【図９】従来の指令卓と移動局間の通信を説明するためのブロック図である。
【図１０】従来の移動局間の通信を説明するためのブロック図である。
【符号の説明】
【００４６】
１０１：処理装置、１０２、１１４、２０７：記憶部、１０３、２０８：表示部、１０４、２０９：操作部、１０５、１１２、２０６：制御部、１０６：記憶部、１０７、１０８、６０５：伝送路、１１０：送信用無線機、１１１：受信用無線機、１１３：切替部、２０１：アンテナ、２０２：切換スイッチ、２０３：受信部、２０４：受信信号処理部、２０５：スピーカ、２１０：マイク、２１１：送信信号処理部、２１２：送信部、６０１：回線制御装置、６０２：指令卓、６０３：基地局、６０４：移動局。
【図１】
2007124283.tif 000007
【図２】
2007124283.tif 000008
【図３】
2007124283.tif 000009
【図４】
2007124283.tif 000010
【図５】
2007124283.tif 000011
【図６】
2007124283.tif 000012
【図７】
2007124283.tif 000013
【図８】
2007124283.tif 000014
【図９】
2007124283.tif 000015
【図１０】
2007124283.tif 000016